(57)【要約】【課題】畳床ユニットにおいて、ボックス内部を収納スペースとして利用することができ、かつ畳床部分への昇降が容易で安全な畳床収納ボックスを提供する。【解決手段】畳床ユニット３を構成することのできる収納ボックス１ａを上段４と下段５に分割し、上段４が収納スペースになると共に、上面部に踏み板６を設けた下段５を出し入れ自在とすることで、引き出した状態で畳床７部分に容易に昇降できるステップとした。上記ステップとなる下段５を手前部分８と奥部分９に分割することにより、手前部分８の上面部に踏み板６が設けられステップとなると共に、奥部分９が収納スペースとなる。【選択図】図１
2009022682.tif 000002
【特許請求の範囲】
【請求項１】
内部に収納スペースを有しかつ平面視において畳半帖もしくは畳１帖と同形同大の収納ボックスを床面に複数個並べて配置することによって畳床ユニットを構成するものにおいて、そのうちの少なくとも一つの収納ボックスとなる畳床収納ボックスであり、内部を上段と下段に分割し、上段が収納スペースになると共に、上面部に踏み板を設けかつ出し入れ自在とした下段が畳床部分に昇降するためのステップとなることを特徴とする畳床収納ボックス。
【請求項２】
上記ステップとなる下段を手前部分と奥部分に分割することにより、手前部分の上面部に踏み板が設けられステップとなると共に、奥部分が収納スペースとなることを特徴とする請求項１記載の畳床収納ボックス。
【請求項３】
上記ステップとなる下段の踏み板を開閉自在として、ステップ部分も収納スペースとなることを特徴とする請求項１または請求項２記載の畳床収納ボックス。
【発明の詳細な説明】
【技術分野】
【０００１】
本願発明は、内部に収納スペースを有しかつ平面視において畳半帖もしくは畳１帖と同形同大の収納ボックスを床面に複数個並べて配置することによって畳床ユニットを構成するものにおいて、そのうちの少なくとも一つの収納ボックスとなる畳床収納ボックスに関するものである。
【背景技術】
【０００２】
従来からこの種の畳床ユニットとして、特開平１１−２９９５５７号公報（本願図５）のように、上板１０の上面に畳床７が載置されると共に上板１０の下方が収納スペースＳとなっている収納ボックス１を複数個組み合わせて、建物のリビング等の壁１１に沿って配置する畳床ユニット３が知られている。上記収納ボックス１を複数個並べて配置することによって、床面２に大きさや形状の異なった様々な和室空間を容易に構成できる。また、これら畳床７の下の収納ボックス１内部は、上板１０を上方に開けることによって収納スペースＳとして利用可能である。
【０００３】
また特開２００４−２３００６７号公報（本願図６）に示される畳床ユニットの壁際構造は、上記と同様の収納ボックス１と壁１１との間に板の間構成部材１８と脚部材１９を設けることによって、畳の傍に板の間スペースを確保できるとともに、収納ボックス１と壁１１との間のスペースを埋め外観を美しくすることができる。
【特許文献１】特開平１１−２９９５５７号公報
【特許文献２】特開２００４−２３００６７号公報
【発明の開示】
【発明が解決しようとする課題】
【０００４】
しかしながら、従来例（特開平１１−２９９５５７号公報）に示す収納ボックス１は高さ約４０ｃｍを有するものであり、高齢者や子供が畳床７部分に上るまたは畳床７部分から下りる際には困難を伴うものであった。
【０００５】
上記壁際構造（特開２００４−２３００６７号公報）の板の間構成部材もまた、収納ボックス１に載置された畳床７と略連続するように設けられるため、高さは前記収納ボックス１と同じであり、高齢者や子供の昇降が困難であった。
【０００６】
本願発明は、上記の従来例の問題点に鑑みて発明したものであって、その課題は、畳床部分への昇降が容易で安全な畳床収納ボックスを提供することである。
【課題を解決するための手段】
【０００７】
上記課題を解決するために、本願請求項１記載の発明は、内部に収納スペースを有しかつ平面視において畳半帖もしくは畳１帖と同形同大の収納ボックスを床面に複数個並べて配置することによって畳床ユニットを構成するものにおいて、そのうちの少なくとも一つの収納ボックスとなる畳床収納ボックスであり、内部を上段と下段に分割し、上段が収納スペースになると共に、上面部に踏み板を設けかつ出し入れ自在とした下段が畳床部分に昇降するためのステップとなることを特徴とするものである。
【０００８】
本願請求項２記載の発明は、上記請求項１記載の畳床収納ボックスにおいて、上記ステップとなる下段を手前部分と奥部分に分割することにより、手前部分の上面部に踏み板が設けられステップとなると共に、奥部分が収納スペースとなることを特徴とするものである。
【０００９】
本願請求項３記載の発明は、上記請求項1または請求項２記載の畳床収納ボックスにおいて、上記ステップとなる下段の踏み板を開閉自在として、ステップ部分も収納スペースとなることを特徴とするものである。
【発明の効果】
【００１０】
本願請求項１記載の発明の畳床収納ボックスにおいては、内部を上段と下段に分割し、上段が従来どおり収納スペースとして利用できるだけでなく、下段の上面部に踏み板を設けているため、下段を自在に引き出すことによって下段自体がステップとなり、畳床部分に容易かつ安全に昇降できるようになる。また下段は出し入れ自在であるため、ステップが不要なときは収納ボックスの中に納められるようになっている。
【００１１】
本願請求項２記載の発明の畳床収納ボックスにおいては、上記ステップとなる下段を手前部分と奥部分に分割することにより、手前部分がステップとなり上記請求項１記載の効果と同様の効果が得られると共に、奥部分は収納スペースとして利用可能となる。
【００１２】
本願請求項３記載の発明の畳床収納ボックスにおいては、上記請求項１記載の効果または上記請求項２記載の効果に加えて、上記ステップとなる下段の踏み板を自在に開閉させることによって、ステップ部分も収納スペースとして利用可能となる。
【発明を実施するための最良の形態】
【００１３】
以下、本願発明を添付図面図１乃至図４に示す実施形態に基づいて説明する。
【００１４】
この畳床収納ボックスＡは、内部に収納スペースＳを有しかつ平面視において畳半帖もしくは畳１帖と同形同大の収納ボックス１を床面２に複数個並べて配置することによって畳床ユニット３を構成するものにおいて、そのうちの少なくとも一つの収納ボックス１ａとなる畳床収納ボックスＡであり、内部を上段４と下段５に分割し、上段４が収納スペースＳ１になると共に、上面部に踏み板６を設けかつ出し入れ自在となっている下段５が畳床７部分に昇降するためのステップとなることを特徴とするものである。
【００１５】
また、この畳床収納ボックスＡは、上記ステップとなる下段５を手前部分８と奥部分９に分割することにより、手前部分８の上面部に踏み板６が設けられステップとなると共に、奥部分９が収納スペースＳ２となることを特徴とするものである。
【００１６】
さらに、この畳床収納ボックスＡは、上記ステップとなる下段５の踏み板６を開閉自在として、ステップ部分も収納スペースＳ３となることを特徴とするものである。
【００１７】
以下、この実施形態の畳床収納ボックスＡの施工形態について、図１を参照しながら説明する。
【００１８】
昇降補助機構としてのステップを備えた畳床収納ボックスＡ（収納ボックス１ａ）は、例えば図１に示すように、他の収納ボックス１ｂ〜１ｅと複数個組み合わせて畳床ユニット３とし、壁１１やタンス、キャビネット等に寄せて設置される。このうち、収納ボックス１ａおよび収納ボックス１ｂは、オープンスペースに面した所に配置される。また収納ボックス１ｃおよび収納ボックス１ｄは壁１１やタンス等に沿って配置され、収納ボックス１ｅは畳床ユニット３の中央に配置するのに適している。図１においては、平面視畳１帖の収納ボックス１ａ乃至収納ボックス１ｄを周囲に配置し、畳半帖の収納ボックス１ｅを畳床ユニット３の中央に配置している。なお、畳床ユニット３は、部屋の大きさや好みに合わせて収納ボックスを自由に組み合わせることで、様々な大きさや形状に構成することができる。また、図１で示される形態の他にもＬ字型やＵ字型、長方形に配置することも可能である。
【００１９】
収納ボックス１ａおよび収納ボックス１ｂは、平面視畳１帖と同形同大であって前方側面開口の矩形の箱体と引出し１２からなっており、引出し１２を出し入れ自在とすることで物品の収納および出し入れが可能な側面開放型の収納ボックス１である。一方、収納ボックス１ｃおよび収納ボックス１ｄは、平面視畳１帖と同形同大であって上方開口の矩形の箱体と上板１０からなっており、上板１０を上方に開閉自在とすることで物品の収納および出し入れが可能な上面開放型の収納ボックス１である。また収納ボックス１ｅは、収納ボックス１ｃおよび収納ボックス１ｄと同様の上面開放型の収納ボックス１であって、その大きさは平面視畳半帖と同形同大である。
【００２０】
いずれの収納ボックス１も上板１０の上面に畳床７が載置され、上板１０の下方が収納スペースＳとなっている。なお畳床７は、上板１０と一体型または別体型のいずれでもよい。
【００２１】
以下、畳床収納ボックスＡ単独としての実施形態を、図１乃至図４を参照しながら詳述する。
【００２２】
畳床収納ボックスＡは、平面視畳１帖と同形同大であって前方側面開口の矩形の収納ボックス１ａであり、その内部は左右に分かれ、それぞれほぼ同じ大きさになっている。向かって右側には、他の収納ボックス１ｂと同様に、上方開口の引出し１２が設置され収納スペースＳとなる。一方向かって左側は、その内部が上段４と下段５に分割され、ほぼ同じ大きさの２つの上方開口の矩形の箱体が設置される。上段４の箱体は右側の引出し１２と同様で高さがほぼ半分の引出しであり、収納スペースＳ１となる。下段５の箱体は、２枚の側板１３と手前板１４、奥板１５および底板１６から構成される引出しであり、上面部に踏み板６が設けられている。この踏み板６は下段５の２枚の側板１３によって支えられているため、人が乗ることが可能である。これによって、上段４が収納スペースＳ１として利用できるだけでなく、下段５を自在に引き出すことによって下段５自体がステップとなり、畳床７部分に容易かつ安全に昇降できるようになる。また下段５は出し入れ自在であるため、ステップが不要なときは収納ボックス１の中に納められるようになっている。
【００２３】
また、上記下段５はさらに手前部分８と奥部分９に分割される。手前部分８の上面部には踏み板６が設けられ、畳床７部分に容易かつ安全に昇降できるステップになると共に、奥部分９は収納スペースＳ２として利用可能となる。
【００２４】
その上、上記下段５の踏み板６は、その端部が手前板１４の上端部と蝶番１７を介して連結されているため、蝶番１７を軸に踏み板６を自在に開閉することができる。これによって、下段５の手前部分８が畳床７部分に容易かつ安全に昇降できるステップになると共に、上段４の収納スペースＳ１および下段５の奥部分９の収納スペースＳ２に加えて、上記ステップ部分である手前部分８も収納スペースＳ３として利用することができる。
【００２５】
上段４はガイドレールによって引き出し自在となり、下段５はガイドレールもしくはキャスターによって引き出し自在となる。キャスターで引き出す場合には、ステップとして使用する際に下段５が動かないようキャスターにストッパーをつけて固定させるのが望ましい。
【００２６】
なお、上記実施形態では、上板１０の上面に畳床７を載置することで和室空間を作り出すことを目的としていたが、畳床７は畳だけでなくカーペットやフローリング等でもよい。
【００２７】
また、上記畳床収納ボックスＡの右側に設置される引出し１２と、左側の上段４および下段５は、左右が逆であってもよい。
【００２８】
また、上記畳床収納ボックスＡは平面視畳半帖の大きさでもよい。
【００２９】
さらに、上記上段４はガイドレールで引き出し自在にするだけでなく、上板１０を上方に開閉自在とした構成にすることも可能である。
【図面の簡単な説明】
【００３０】
【図１】本願発明の実施形態である４帖半のユニットとしての畳床ユニットをリビングの片隅に設置して実施した形態の斜視図である。
【図２】本願発明である畳床収納ボックスの断面図である。
【図３】同上の畳床収納ボックスにおいて、下段を引き出した断面図である。
【図４】同上の畳床収納ボックスにおいて、下段を引き出し、かつ踏み板部分を開けた状態を示す断面図である。
【図５】従来例である上方開閉型の畳床ユニットの斜視図である。
【図６】従来例である畳床ユニットの壁際構造を示す断面図である。
【符号の説明】
【００３１】
１  収納ボックス
２  床
３  畳床ユニット
４  上段
５  下段
６  踏み板
７  畳床
８  下段の手前部分
９  下段の奥部分
Ｓ  収納スペース
Ｓ１  上段の収納スペース
Ｓ２  下段の奥部分の収納スペース
Ｓ３  下段の手前部分の収納スペース
Ａ  畳床収納ボックス（収納ボックス１ａ）
【図１】
2009022682.tif 000003
【図２】
2009022682.tif 000004
【図３】
2009022682.tif 000005
【図４】
2009022682.tif 000006
【図５】
2009022682.tif 000007
【図６】
2009022682.tif 000008